(57)【要約】  データテレグラム（１４）の形態におけるドメスチックデータが、任意にアクセス可能で対応して占有される送信チャネル（１７）を介して、データソース（１０）からストレージユニット（２０）へ、タイムスロットにおいて非同期な方法で送信される。長いデータテレグラム（１４）に対して作用し結果として生じる干渉により、データテレグラム（１４ｍ）が干渉なしで受信されるまでに、データテレグラムは複数回（ｎ）送信されなければならない。比較器（２１）は、既知の期間において干渉なしに受信されたデータテレグラムの数（ｍ）と、同じ時間の間に実際に送信されたデータテレグラムの数（ｎ）との比（１４ｍ／１４ｎ）から、パケット誤り率（ＰＥＲ）を決定するために用いられる。単位時間当たりの送信の繰り返しを変えること（ｎ＝＞ｎ'）により、送信条件が変化しても特定のパケット誤り率（ＰＥＲ）を適応的に維持し得る。
2019537908.tif 000002
【特許請求の範囲】
【請求項１】
送信チャネル（１７）を介してデータソース（１０）からメモリ（２０）へデータメッセージ（１４ｎ）の形態でドメスチックデータを反復送信するための方法であって、
パケット誤り率（ＰＥＲ）は、比較器（２１）において、ある期間にわたって受信されたデータメッセージ（１４ｍ）に対して、その間に送信されたデータメッセージに対する干渉なしに受信されたデータメッセージの比率（１４ｍ／１４ｎ）として、決定されることを特徴とし、
今後の反復送信の数（ｎ'）は、パケット誤り率（ＰＥＲ）に影響を及ぼす、具体的には指定する、という目的で変更される、
方法。
【請求項２】
前記送信チャネル（１７）を介する今後の反復送信の数（ｎ’）が、前記比較器（２１）に記憶されて、前記データソース（１０）のトランシーバ（１６）に送信されることを特徴とする
請求項１に記載の方法。
【請求項３】
前記データソース（１０）の少なくとも送信機（１５）および／またはセンサ（１１）を動作させる目的でバッテリ（２３）が設けられ、今後の反復送信の数（ｎ’）または頻度が、前記バッテリ（２３）の動作期間の終わりに向かって減少する、ということを特徴とする
請求項１または２に記載の方法。
【請求項４】
今後の反復送信の数（ｎ’）が、プログラム制御、リモート制御、または手動で、影響されることを特徴とする
請求項１ないし３のいずれか一項に記載の方法。
【請求項５】
連続したデータメッセージ（１４ｎ）は、それぞれ部分メッセージとして送受信され、不正確な部分メッセージが、既に反復して送受信されたデータメッセージ（１４ｎ）の一つからの正しいデータメッセージで置き換えられている、ということを特徴とする
請求項１ないし４のいずれか一項に記載の方法。
【請求項６】
パケット誤り率（ＰＥＲ）は、最適パケット誤り率（ＰＥＲ（ｄｅｓｉｒｅｄ））に基づいて特定され、最適パケット誤り率（ＰＥＲ（ｄｅｓｉｒｅｄ））は、データメッセージまたは部分メッセージの要求される放出の数ｎ（ｄｅｓｉｒｅｄ）を決定するために用いられる、ということを特徴とする
請求項１ないし５のいずれか一項に記載の方法。
【請求項７】
現在のパケット誤り率（ＰＥＲ（ａｃｔｕａｌ））は、特定期間内に送信されたデータメッセージの数ｎ（ｔｘ）と、実際に受信されたデータメッセージ数のｎ（Ｒｘ）と、から決定され、今後の反復送信の数（ｎ’）が、現在のパケット誤り率ＰＥＲ（ａｃｔｕａｌ）に基づいて変更されることを特徴とする
請求項１ないし６のいずれか一項に記載の方法。
【請求項８】
前記メモリ（２０）内の装置および／またはソフトウェアソリューションが、前記比較器（２１）として、提供されることを特徴とする
請求項１ないし７のいずれか一項に記載の方法。
【請求項９】
前記送信チャネル（１７）が双方向送信チャネルであることを特徴とする
請求項１ないし８のいずれか一項に記載の方法。
【請求項１０】
前記データソース（１０）は供給媒体の消費量を判定するための消費量メータであり、および／または、前記メモリ（２０）はデータコレクタまたはデータコンセントレータである、ということを特徴とする
請求項１ないし９のいずれか一項に記載の方法。
【請求項１１】
請求項１ないし１０のいずれか一項に記載の方法を実行するために設計され、データソース（１０）内にセンサ（１１）およびトランシーバ（１６）を備え、メモリ（２０）内にトランシーバ（１９）を備え、送信チャネル（１７）を介してメッセージデータを反復送信するための装置であって、
比較器（２１）が前記メモリ（２０）内に設けられ、干渉なしに受信されたデータメッセージの数（ｍ）の、その間に送信されたデータメッセージの数（ｎ）に対する比率（１４ｍ／１４ｎ）からパケット誤り率（ＰＥＲ）を決定するように設定されている、ということを特徴とし、
今後の反復送信の数（ｎ’）は、パケット誤り率（ＰＥＲ）から導出され、今後の反復送信の数（ｎ’）は、前記メモリ（２０）の前記トランシーバ（１９）から、前記データソース（１０）の前記トランシーバ（１６）に送信される、
装置。
【請求項１２】
今後の反復送信の数（ｎ’）に影響を及ぼすためのハンドル（２２）が、前記メモリ（２０）に設けられていることを特徴とする
請求項１１に記載の装置。
【請求項１３】
前記ハンドル（２２）は、手動で作動させることができ、遠隔制御することができ、および／または、ソフトウェア（プログラム制御可能）によって制御することができることを特徴とする
請求項１１または１２に記載の装置。
【発明の詳細な説明】
【技術分野】
【０００１】
本発明は、ドメスチックデータを反復送信するための方法と、本発明に関する方法を実行するための装置と、に関する。
【背景技術】
【０００２】
欧州出願公開公報第２９５３２７５  Ａ１号は、センサによる一連の消費量測定値をデータソースが取得するという無線送信システムを記載している。それぞれのデジタル化された測定値、または、測定値と、ソース識別と、送信アドオンと、を含む測定データ記録は、起点に関連する方法で符号化されたデータメッセージの形式で、双方向の近距離データ無線ダウンリンクを用いて、このデータソースから遠隔操作されたメモリへ送信される。データメッセージは、パケットまたはデータパケットとも呼ばれるし、メモリは、データ処理とともにまとめられて、コンセントレータとも呼ばれる。逆に、料金変更仕様などのアップリンク情報は、メモリからデータソースに送信され、そこで評価され得る。メモリから、複数のデータソースから到来するデータメッセージは、場合によっては前処理されて、選択的にバッファされ得るし、広域無線、例えば移動無線規格における、を用いて検索され得るし、無線により直接またはストレージメディアによって、データが評価される中枢ポイントへ、例えば消費量の請求書を作成する目的で、送信され得る。
【０００３】
双方向に送信され得る測定値またはデータは、例えば、メータに基づき、その場でセンサによって通常決定される、冷水、温水、ガス、熱、または電気の消費量であってもよい。さらに、双方向に送信され得るデータは、室内の温度、換気フラップの角度位置などといった、その他のドメスチックで遠隔制御の変数（具体的には、望ましい値や実際の値）でもよい。
【０００４】
データメッセージは、全体で送信されてもよいし、部分メッセージまたは部分データパケットに分解された方法で送信されてもよく、この場合、受信側で完全なデータメッセージを形成するために再び組み立てられ得る。そのようなデータ送信は、非同期的な方法で、いわゆるタイムスロットで、例えばＶＨＦスペクトルにおける搬送波の周波数変調として、好ましくはＩＳＭ（工業、科学および医療）および／または特に認可されていないＵＨＦスペクトルのＳＲＤ（短距離装置）の帯域のうちの一つにおいて、実行されて、それ故、先験的に知られておらず変化する瞬間的なチャネル割り当てを伴う。したがって、メモリ内で受信されたデータメッセージは、その送信中に干渉を経験し、その結果、それをメモリ内で評価することができないと思われるので、データメッセージはデータソースのトランシーバ内の送信機から、メモリのトランシーバ内の受信機に、干渉のない受信が少なくとも一度は期待できるような方法で、一定の間隔で、反復送信される。
【０００５】
測定技術では、ある程度のいわゆるパケット誤り率（ＰＥＲ）は、この期間中に実際に送信されたデータメッセージまたは部分メッセージの既知数に対する、正常に受信されたデータメッセージまたは部分メッセージの数の比率であって、最終的には反復送信によって克服されるものであり、したがって受け入れられるはずである。一方、データメッセージ（パケット）には、データの内容にもよるが、数分または数時間から数日かもしれない一定の最新性が要求される。それまでには、現在の反復送信されているデータメッセージは、送信チャネルにおける干渉の影響にもかかわらず、十分な程度の確率で最終的にはメモリに正しく捕捉されていなければならない。この手順は、送信されたデータメッセージの頻繁な反復が望ましいものであるように見せる。しかしながら、これは送信チャネルに対する不必要な負荷をもたらすかもしれない。加えて、例えば、データソースのトランシーバの送信機内の所定の機能寿命を有するバッテリを不必要に使用することを回避するために、可能な限り少ない反復送信の数を目指すべきである。したがって、バッテリの機能寿命の始めにおいて、送信機のコントローラに対し、経験に従って、いずれの場合にせよ、データメッセージの十分な反復送信の数を少なくともしっかりと指定することは、依然として合理的かもしれない。そうは言っても、現在のデータメッセージの結果的に正しい送信のために統計的に必要とされる以上の反復送信は、計算されたバッテリの機能寿命の終わりに向かって実行されるべきではない。
【発明の概要】
【０００６】
そのような状況を知って、本発明は、現在のデータメッセージが干渉なしでメモリ内に存在するまでの反復送信の数を最適化するという技術的問題に基づいている。
【０００７】
本オブジェクトは、２つの独立した請求項にそれぞれ記載された特徴の組み合わせで実現される。したがって、現在のパケット誤り率は（その間に実際に送信された現在のデータメッセージに対する、正常に受信されたデータメッセージの比率の意味では）、メモリ内で準不連続的または不連続的に決定される。パケット誤り率は、現在の送信状況（干渉なしで受信されたデータメッセージの数によって表される）に対する反復送信の数または頻度を変更することにより、所望の値に定められ得る。この反復の仕様は、アップリンクにおいて、メモリからそれぞれのデータソースに送信され、現在のパケット誤り率の次の決定のために、メモリ内で利用可能に保たれる。それ故、効果的な送信状況は、目標とされるパケット誤り率に対する反復送信を適応的に適応させることにより、コンスタントに保たれる。
【０００８】
比較的長いデータメッセージのそれぞれは、全体としてよりはむしろ、少なくとも１つのデータメッセージを干渉なしでできるだけ速やかにメモリまたはデータコレクタに受信するために、連続的に送信されつつ全体のデータメッセージを形成するためにメモリ内で再度グループ化または組み立てられる適宜に個別化された部分メッセージの形式で、などといった公知の方法のほうが、好都合に送信され得る。この場合において、特定のデータメッセージが干渉を有することが判明したならば、通常、干渉は、このデータメッセージからの特定の短い部分メッセージにのみに、実際には関係している。正確には、この部分的なメッセージは、繰り返されるデータメッセージのその後の受信の間に再び干渉を有することはないであろうし、その結果、この部分メッセージが、干渉を受けて受信された先行データメッセージに導入されると、干渉のない完全なデータメッセージが、上記で定義された意味において、０と１の値の間に広がるパケット誤り率の値における対応する増加によって、干渉なく完全に受信された反復のデータメッセージを待つ必要がある場合よりも、迅速に利用可能となる。
【図面の簡単な説明】
【０００９】
本発明による解決策は、図面の図を参照して以下により詳細に説明される。
【００１０】
【図１】本発明に係る方法を用いたデータメッセージ送信の簡易概略図を示す図。
【図２】本発明に係る方法を用いてデータメッセージが送信される通信システムの簡易概略図を示す図。
【発明を実施するための形態】
【００１１】
図１では、センサ１１により提供される通常のアナログデータは、複数のデータソース１０ｉにより、Ａ／Ｄコンバータ１２においてＡ／Ｄ変換を受け、そして、完全なデータメッセージ１４が構成されるように、起点識別子、タイムスタンプ、パリティビットなどといった、コーダ１３からのさらなる情報と組み合わせされる。データメッセージ１４は、送信チャネル１７、例えば、確率的干渉を伴う送信チャネルを用いて、送信側のトランシーバ１６内の送信機１５から中枢のメモリ２０のトランシーバ１９の受信機１８へ、一定期間にわたって繰り返し、換言するとｎ回、送信される。干渉の影響のために、反復送信されたデータメッセージ１４ｎのうちのｍ（ｍ＜ｎ）だけが、エラーなしに、すなわち、例えて言うならば、評価され得る状態で、受信され得る。メモリ２０においては、比較器２１は、用いられる送信チャネル１７内の現在直面する送信環境に対するものであって、エラーなしで受信されたデータメッセージ１４ｍに対する、その期間にわたって実際に反復送信されるデータメッセージの、システムが既知の数ｎの比率ｍ／ｎから、パケット誤り率ＰＥＲを決定する。最適値はパケット誤り率ＰＥＲ＝１であるが、ｍ＝ｎのため、実際には達成することはできない。比較器２１は、便宜的に、メモリ２０の内側の装置の形態でもよく、および／または、純粋なソフトウェアソリューションまたはソフトウェア実装の形態でもよい。
【００１２】
パケット誤り率ＰＥＲに影響を及ぼすために、比較器２１は、今後のソース側の放出の数をｎ’に変更することができる。その変更が意図して行われる意味および範囲は、ハンドル２２の形態でアクチュエータを使用して、メモリ２０内において、プログラム制御、再遠隔制御、または直接の方法で、影響を与え得るし、指定され得る。実際には、送信状況が変わってもできる限り一定であり、送信 されるデータメッセージの所望の最新性に従って指定することができるパケット誤り率ＰＥＲの値が目標とされる。これは、例えば、反復の数ｎを変えることによって、達成または決定することができる。
【００１３】
予め定められた期間内においてｎ’＞ｎの場合、データメッセージ１４を放出するための反復周波数は、増加させることができ、すなわち、パケット誤り率は減少され得るし、そしてその逆もまたあり得る。しかしながら、いずれにせよ、放出の反復周波数は、バッテリ２３を保護するために、トランシーバ１６に対するバッテリ２３の動作期間の終わりに向かって、ｎ’＜ｎだけ減少させるべきである。今後の反復送信の数ｎ’は、アップリンクにおいて、メモリ側のトランシーバ１９の送信機２４からソース 側の送信機１５のコントローラに送信され、また、パケット誤り率ＰＥＲの次の判定のために、比較器２１においても保持される。
【００１４】
自由にアクセス可能で、適宜頻繁に用いられる送信チャネル１７において、干渉の影響は、一般的に生じ、特には、タイムスロットにおいて非同期的にデータソース１０から例えばメモリ２０に送信されるデータメッセージ１４ｎに対して、効果を与える。その結果、データメッセージ１４ｍが少なくとも１回は干渉なしで受信されるまで、それぞれのデータメッセージ１４は数回反復送信されなければならない。比較器２１は、ある期間にわたるパケット誤り率ＰＥＲを、干渉なしに受信されたデータメッセージの数ｍと、その間に実際に送信されたデータメッセージの数ｎとの比率１４ｍ／１４ｎから、決定するために用いられる。干渉を有しておらず、メモリ２０にとって利用可能な、データメッセージ１４ｍの最適化されたデータの最新性の利益のために、例えば、単位時間当たりの今後の反復送信の数ｎ’は増加する、すなわち、パケット誤り率ＰＥＲはその定義に従って減少し、逆もまた同様である。現在の送信状況における、特定の所定のパケット誤り率ＰＥＲを達成するための今後の反復送信の数の変化ｎ＝＞ｎ’は、プログラム制御もしくは遠隔制御の方法に、または、その場の手動に、影響され得る。本発明によれば、パケット誤り率ＰＥＲは、反復送信の数ｎ’を現在の送信状況に適応させることにより、それ故、適応的に最適化され得る、なぜなら、送信状況が変化しても、所望のパケット誤り率ＰＥＲに準拠するために、対応する反復の数ｎ’をメモリ２０からデータソース１０に指定され得るからである。
【００１５】
図２は、複数のデータソース１０およびメモリ２０を含む、無線送信システムまたは通信システムを示す。データソース１０は、消費量メータの形態であり、例えば、水、ガス、熱、または電気の計器の形態であり、現在の消費量を捕捉し、それを消費量データの形態でメモリ２０に送信する。データソース１０はそれぞれ、例えば消費の媒体（例えば水またはガス）の流量を判定するための超音波センサである、消費量データを取り込むためのセンサ１１と、送信チャネル１７、すなわち双方向送信 チャネル、を介して、データメッセージまたは部分メッセージを送信および／または受信するための送信機１５を有するトランシーバ１６と、を備える。メモリ２０は、トランシーバ１９を有するデータコレクタまたはデータコンセントレータの形態であり、データまたは消費量データを、受信、収集、および／または転送するために用いられる。ドメスチックデータ、例えば消費量データ、を反復送信するための本発明に係る装置は、特には、データソース１０のセンサ１１およびトランシーバ１６、ならびにメモリ２０のトランシーバ１９をそれぞれ備える。
【００１６】
消費量メータは、無線方式で、例えば、ＩＳＭおよび／またはＳＲＤ周波数帯などといった無認可の周波数帯を用いた無線電波により、データをデータコレクタに送信する。消費量メータはそれぞれ、エネルギー消費量または利用可能なエネルギーに関する送信時および送信期間の場合における制限に従わなければならない、言い換えると、例えばバッテリ２３の充電状態に依存する、送信機１５を備える。この場合、トランシーバ１６にエネルギーを供給することに加えて、バッテリ２３は、センサ１１にエネルギーを供給することを目的として設けられてもよい。消費量メータは、それらのデータメッセージを一定の間隔で送信し、データコレクタは、受信範囲内にある消費量メータからデータを受信する。
【００１７】
無認可の周波数帯域を使用する送信のため、チャネルの割り当ては一般に最初は未知であり、また変化する可能性がある。チャネルの割り当てが未知であるという事実の結果として、達成し得る最新のデータを予測することは困難である。送信のためには、例えば、データメッセージが、時間的休止を伴って送信される、複数の部分メッセージに細分される（テレグラム分割）方法の使用がなされる。そして、部分メッセージは、受信側、つまり、具体的にはデータコレクタにおいて、再構築されます。
【００１８】
この方法では、チャネルの他の信号との重畳により引き起こされる干渉の結果として誤って送信されたデータの確率が、受信機、すなわちメモリ２０またはデータコレクタ、によって首尾よく受信されたデータメッセージおよび／または部分メッセージの数ｍから、送信機、すなわちデータソース１０またはそれぞれの消費量メータ、によって送信されたデータメッセージおよび／または部分メッセージの数ｎに対して、成されるパケット誤り率ＰＥＲ（ＰＥＲ＝ｍ／ｎ）によって計算される。この場合において、確率ｐ１は、干渉を有し、正しく送信され得ない部分メッセージの確率
【数１】
2019537908.tif 000003
を表す。
【００１９】
パケット誤り率ＰＥＲは、例えば、特定の期間ｔでの干渉源が、その期間ｔでのスロット（スロット）にある場合に、そのスロットまたは周波数チャネル、を完全に拒否することにより、理論的に導出することができる。以下は、干渉を有するスロットの確率ｐ（スロット）に適用される。
【数２】
2019537908.tif 000004
【００２０】
したがって、全てのスロットが占有されている確率ｐ（ａｌｌ）は、
【数３】
2019537908.tif 000005
を用いたスロット数ｎ（ｓｌｏｔｓ）を用いて、計算される。しかしながら、本発明による方法では、それぞれの現在のパケット誤り率ＰＥＲ（ａｃｔｕａｌ）が決定されることが好ましい。通信システム内の消費量メータの送信間隔は既知であり、したがって、特定の期間内の送信されたデータメッセージの数ｎ（ｔｘ）もまた既知である。この場合、現在のパケット誤り率ＰＥＲ（ａｃｔｕａｌ）は、実際に受信されたデータメッセージの数ｎ（Ｒｘ）、すなわちデータコレクタで正常に受信されたデータメッセージの数と、送信されたデータメッセージの既知数
【数４】
2019537908.tif 000006
と、から決定される。
【００２１】
さらに、現在送信されている部分メッセージの数ｎ（ａｃｔｕａｌ）もまた通信システムにおいて既知であり、その結果、チャネル割り当てまたはチャネル干渉についての現在の確率ｐ（ａｃｔｕａｌ）を、ＰＥＲ（ａｃｔｕａｌ）と、
【数５】
2019537908.tif 000007
であるｎ（ａｃｔｕａｌ）と、の知識から計算することができる。
【００２２】
したがって、望ましいまたは最適なＰＥＲ（ｄｅｓｉｒｅｄ）を好都合に決定することができる。したがって、最適なＰＥＲ（ｄｅｓｉｒｅｄ）に対して、部分メッセージの必要な放出の数ｎ（ｄｅｓｉｒｅｄ）が、
【数６】
2019537908.tif 000008
で計算することができる。
【００２３】
そして、必要な放出の数ｎ（ｄｅｓｉｒｅｄ）が、リターンチャネルを介して、データソース１０または消費量メータへ、つまり、コレクター２０からデータソース１０へ、具体的には、データソース１０のトランシーバ１６の受信機２５へ、数ｎ（ｄｅｓｉｒｅｄ）におけるデータメッセージまたは部分メッセージを送信するためのコマンドと一緒に、通達され得る。これにより、所望のパケット誤り率ＰＥＲ（ｄｅｓｉｒｅｄ）を決定または設定することが可能になる。
【００２４】
要約すると、現在のパケット誤り率ＰＥＲ（ａｃｔｕａｌ）は、そういう訳で、本発明に係る方法を用いた所定の放出の知識から決定することができる。データメッセージの成功送信（実質的に干渉なしで）に必要とされる部分メッセージまたは部分パケットの送信の数は、そこから決定することができ、送信の数を適合させるためにデータソース１０に通達される。結果として、本発明に係る方法に応じて、パケット誤り率ＰＥＲは、送信されたデータメッセージまたは部分メッセージの数に対し適応を行うかまたは影響を及ぼすことによって、適応的に制御される。したがって、送信チャネルにおける不可避の変動可能な干渉の影響にもかかわらず、現在のデータメッセージが干渉なしでメモリ２０またはデータコレクタにそれぞれ存在するまでの反復送信の数は、有利な方法において最適化され得る。
【符号の説明】
【００２５】
１０  データソース
１１  センサ
１２  Ａ／Ｄコンバータ
１３  コーダ
１４  データメッセージ
１５  送信機（符号１０内の符号１６の）
１６  トランシーバ
１７  送信チャネル
１８  受信機（符号２０内の符号１９の）
１９  トランシーバ
２０  メモリ
２１  比較器
２２  ハンドル
２３  バッテリ（符号１５に対する）
２４  送信機（符号２０内の符号１９の）
２５  受信機（符号１０内の符号１６の）
ＰＥＲ  パケット誤り率
ｎ  数
ｐ  確率
ｔ  期間
【図１】
2019537908.tif 000009
【図２】
2019537908.tif 000010
【国際調査報告】
2019537908.tif 000011
2019537908.tif 000012
2019537908.tif 000013
2019537908.tif 000014
2019537908.tif 000015
2019537908.tif 000016